(57)【要約】  【課題】  開き戸や引き戸等の戸、ドアの建具枠を完全後付けで施工できるようにすると共に、建具枠の鉛直度、真直度、隙間調整等必要な種々の調節用の取り付け部材を操作する為の建具枠に形成された通し穴を完全に被覆することを目的とする。  【解決手段】  建具枠（１０ａ，１０ｂ）を少なくとも上記取り付け部材（１１）を工具で調節する為の通し穴（２３）が形成された建具枠本体（２２）と、上記通し穴（２３）を被覆でき、而も上記建具枠本体（２２）に結合できる建具枠カバー（２４）により構成し、先ず上記下地枠（３ａ，３ｂ）に対して建具枠本体（２２）を鉛直度、真直度、隙間調整等必要な調節を行ないながら取り付け部材（１１）を用いて取り付け、而る後にドア（２１）の吊込みを行い、次いで上記通し穴（２３）を被覆するように建具枠カバー（２４）を上記建具枠本体（２２）に結合する。【選択図】  図４
2009024336.tif 000002
【特許請求の範囲】
【請求項１】
壁に下地枠（３ａ，３ｂ）を取り付け、次いでそれら壁に必要な幅木（５）を施工し、クロス（６）を貼り終えた後に、上記下地枠（３ａ，３ｂ）に対して建具枠（１０ａ，１０ｂ）を鉛直度、真直度、隙間調整等の調節を行ないながら取り付け部材（１１）を用いて取り付け、而る後にドア（２１）を取り付ける工法であって、上記下地枠（３ａ，３ｂ）に建具枠（１０ａ，１０ｂ）の嵌合用の嵌合溝（７）を予め形成しておき、その嵌合溝（７）に対して建具枠（１０ａ，１０ｂ）を嵌合させ、取り付け部材（１１）を用いて取り付け、建具枠（１０ａ，１０ｂ）を壁の厚み内に納めるようにして取り付ける建具枠の完全後付け工法に於いて；
上記建具枠（１０ａ，１０ｂ）は少なくとも上記取り付け部材（１１）を工具で調節する為の通し穴（２３）が形成された建具枠本体（２２）と、上記通し穴（２３）を被覆でき、而も上記建具枠本体（２２）に結合できる建具枠カバー（２４）により構成し、先ず上記下地枠（３ａ，３ｂ）に対して建具枠本体（２２）を鉛直度、真直度、隙間調整等の調節を行ないながら取り付け部材（１１）を用いて取り付け、而る後にドア（２１）を取り付け、次いで上記通し穴（２３）を被覆するように建具枠カバー（２４）を上記建具枠本体（２２）に結合するようにしたことを特徴とする建具枠の完全後付け工法。
【請求項２】
上記建具本体（２２）の一側（２２ａ）を嵌合溝（７）の一側（７ａ）に片寄せした態様で嵌合溝（７）に装着した時に、当該建具枠本体（２２）の他側（２２ｂ）と嵌合溝（７）の他側（７ｂ）の間に隙間が形成されて成り、この隙間に建具枠カバー（２４）の差込部（２４ａ）を過不足なく差込すると共に、当該建具枠カバー（２４）の被覆部（２４ｂ）を建具枠本体（２２）の通し穴（２３）上を覆って当接し、而も建具枠本体（２２）と建具枠カバー（２４）を面ファスナー（２６ａ，２６ｂ）にて結合して成ることを特徴とする請求項１記載の建具枠の完全後付け工法。
【請求項３】
壁に下地枠（３ａ，３ｂ）を取り付け、次いでそれら壁に必要な幅木（５）を施工し、クロスを貼り終えた後に、取り付け部材（１１）によって、鉛直度、真直度、隙間調整等の調節を行ないながら下地枠（３ａ，３ｂ）の嵌合溝（７）に対して取り付けられる建具枠（１０ａ，１０ｂ）に於いて；
上記建具枠（１０ａ，１０ｂ）は少なくとも上記取り付け部材（１１）を工具で調節する為の通し穴（２３）が形成された建具枠本体（２２）と、上記通し穴（２３）を被覆でき、而も上記建具枠本体（２２）に結合できる建具枠カバー（２４）により成ることを特徴とする建具枠の完全後付け工法の為の建具枠。
【発明の詳細な説明】
【技術分野】
【０００１】
本発明は開き戸や引き戸等の建具枠の完全後付け工法及びそれを実施する為の建具枠に係わり、更に詳しくは幅木の施工、クロスの貼り付けを終えた後に、ドア吊込み用のドア枠としての建具枠を完全に後付け出来る工法の改良に関する。
【背景技術】
【０００２】
周知の通り建具、例えばドアを吊込む為には縦枠としての建具枠を壁に取り付ける必要がある。
多くの施工現場に於いては依然として次の工法が採られている。即ち、壁下地を施工した後、下地枠を施工し、その後に建具枠を取り付ける。この時いったんドアの吊込みを行ない、建具枠の取付態様を確認して、以後の作業の為にドアを外す。而る後に幅木を施工し、クロスを貼る。その後にドアの吊込みを終える。
【０００３】
上記の施工技術によると、幅木、クロス貼り施工前に下地枠に対して建具枠を取り付ける時に、いったんドアの吊込みを行なう為に、施工現場へ建具枠とドアの双方を同時に持込む必要があり、この同時積載の為にかさばる問題があった。
又、現場でいったんドアを吊込んだ後に、その後の幅木工事、クロス貼りの為にドアを外すものであるが、その外す工事や、外したドアを工事の邪魔にならない位置へ移動したりする作業が大変な手間となっていた。
更には、その後の幅木、クロス貼り施工の為に取り付けた建具枠及び取外して置いてあるドア等建具を養生する作業も必要であった。とりわけ、その後に幅木、クロス貼り施工後に建具枠の調整の必要が生じたとか、その後の工事に於いて建具枠に傷が付いてしまったとか、施主の都合によりドアの開き勝手を変更しなければならなくなった等とかで、建具枠の取り付けをやり直さなければならなくなった時に、壁を壊してやり直さねばならなかった。
【０００４】
そこでこれらの諸問題を解決するものとして本出願人は先に特開２００６−２３３６０４（特許文献１）でドア枠の後付け工法を提案した。
【０００５】
【特許文献１】特開２００６−２３３６０４
【０００６】
即ち、この従来技術は左右の壁各々に下地枠を取り付け、次いでそれら壁に必要な幅木を施工し、クロスを貼り終えた後に、上記左右の下地枠各々に対して左右の建具枠を取り付ける際に、当該建具枠の表面に開口形成された通し穴を介して工具により取り付け部材を用いてその建具枠の鉛直度、真直度、隙間調整等の調節を行ないながら取り付け、而る後にドアの建具を取り付ける工法に於いて、上記左右の壁の左右各々の下地枠に建具枠嵌合用の嵌合溝を形成しておくと共に、建具枠１０ａ，１０ｂの幅を壁の厚さ以下と成し、その左右各々の嵌合溝に対して左右各々の建具枠を嵌合させて取り付け部材を用いて取り付ける工法である。この場合、上述したように建具枠の鉛直度等を調節する為には、建具枠の表面に開口形成された通し穴を介して六角レンチ等の工具を差込し、建具枠の裏面と下地枠の表面の間にセットされている取り付け部材を調節する必要があるので、どうしても通し穴が外部に露出する。そこでこの通し穴をキャップで閉塞して用いていた。
【発明の開示】
【発明が解決しようとする課題】
【０００７】
この従来技術によると上記の諸問題を解決できる。
然しながら建具枠の表面に開口形成される通し穴にキャップを装着するので、ドア開放時には外見上キャップの頭が表われる不具合があった。又ドアの使用経過に伴い、ドアの端面がキャップの頭にこすれたり、当るのでキャップの頭が汚れることがあった。そしてキャップの頭の厚さによってドアが完全に閉まらないという不具合もあった。
【０００８】
本発明は上記の点に鑑み成されたもので、建具枠に形成された取り付け部材調節の際の通し穴を完全に被覆できる建具枠の完全後付け工法及びそれを実施する為の建具枠を提供するにある。
【課題を解決するための手段】
【０００９】
上記目的を達成する為の本願の請求項１の発明は、壁に下地枠を取り付け、次いでそれら壁に必要な幅木を施工し、クロスを貼り終えた後に、上記下地枠に対して建具枠を鉛直度、真直度、隙間調整等の調節を行ないながら取り付け部材を用いて取り付け、而る後にドアを取り付ける工法であって、上記下地枠に建具枠の嵌合用の嵌合溝を予め形成しておき、その嵌合溝に対して建具枠を嵌合させ、取り付け部材を用いて取り付け、建具枠を壁の厚み内に納めるようにして取り付ける建具枠の完全後付け工法に於いて；
上記建具枠は少なくとも上記取り付け部材を工具で調節する為の通し穴が形成された建具枠本体と、上記通し穴を被覆でき、而も上記建具枠本体に結合できる建具枠カバーにより構成し、先ず上記下地枠に対して建具枠本体を鉛直度、真直度、隙間調整等の調節を行ないながら取り付け部材を用いて取り付け、而る後にドアを取り付け、次いで上記通し穴を被覆するように建具枠カバーを上記建具枠本体に結合するようにしたことを特徴とする建具枠の完全後付け工法である。
【００１０】
又、本願の請求項２の発明は、上記建具本体の一側を嵌合溝の一側に片寄せした態様で嵌合溝に装着した時に、当該建具枠本体の他側と嵌合溝の他側の間に隙間が形成されて成り、この隙間に建具枠カバーの差込部を過不足なく差込すると共に、当該建具枠カバーの被覆部を建具枠本体の通し穴上を覆って当接し、而も建具枠本体と建具枠カバーを面ファスナーにて結合して成ることを特徴とする請求項１記載の建具枠の完全後付け工法である。
【００１１】
更に本願の請求項３の発明は、壁に下地枠を取り付け、次いでそれら壁に必要な幅木を施工し、クロスを貼り終えた後に、取り付け部材によって、鉛直度、真直度、隙間調整等の調節を行ないながら下地枠の嵌合溝に対して取り付けられる建具枠に於いて；
上記建具枠は少なくとも上記取り付け部材を工具で調節する為の通し穴が形成された建具枠本体と、上記通し穴を被覆でき、而も上記建具枠本体に結合できる建具枠カバーにより成ることを特徴とする建具枠の完全後付け工法の為の建具枠である。
【発明の効果】
【００１２】
以上本願の請求項１、２記載の発明によると、建具枠に形成された取り付け部材調節用の通し穴を完全に被覆できる建具枠の完全後付け工法を提供できる。従って上記通し穴にキャップを装着する必要がないから、使用経過に伴うキャップの汚れ等もなく、又ドアと建材との間に隙間も生じないものである。
【００１３】
そして請求項３記載の発明によると、完全後付け工法を実施する為の建具枠に於いて、鉛直度、真直度、隙間調節をする為の取り付け部材を操作する通し穴を完全に被覆できる建具枠を提供できる。
【発明を実施するための最良の形態】
【００１４】
次に添付図面に従い本発明の実施の形態を詳細に説明する。
実施形態の説明に当っては、本発明の前提となる部分について施工工程の順に従い説明し、次いで本発明の特徴を示す実施態様を説明する。そして、ここでは、高さの高い、床から天井までその高さがあるドア、いわゆるハイドアの吊込みを例にとって説明する。
先ず本発明の前提部分を説明すると、図１に簡略図示した正面図及びその２−２線断面図である図２はドアを吊込む為の建具枠を取り付ける前に各々壁に幅木を取り付け、クロスを貼り終わったところまでの状態を示したものである。即ち、図示せざる床及び壁１を施工する。壁１は壁下地２及びドア取り付けの為の開口部Ａを区画する為の建具下地枠３ａ、３ｂを施工した後壁下地２上に仕上材、例えばブラスターボード４を貼り、必要な幅木５を施工した後、クロス６を貼り終わったところまでを示している。
【００１５】
本発明はこのように幅木５及びクロス６を貼り終わった後でもドアの建具枠を完全に後付け施工できるようにしたもので、これは以下に示す構成によるものである。
先ず、上記に於いて示した下地枠３ａ、３ｂの各々にこの下地枠３ａ、３ｂを組付ける前に予め縦枠としての建具枠を嵌合する為の嵌合溝７を形成しておく。逆に言えばこの嵌合溝７を有する下地枠３ａ、３ｂを、その嵌合溝７部分が開口部Ａに向かうように組み付けるものである。この嵌合溝７の各々は、各下地枠３ａ、３ｂの表面８に、当該下地枠３ａ、３ｂの縦方向に沿って上から下まで凹状に形成するものである。その大きさは建物の仕様、デザイン、吊込むドアの種類、デザイン等々によって種々様々ではあるが、ここではいわゆるハイドア用のものを示し、一例として上記下地枠３ａ、３ｂの幅寸法を１００〜１３０ｍｍ、奥行寸法を１３〜１８ｍｍとした場合に、嵌合溝７の幅Ｔは約７７ｍｍ、奥行Ｓは約９ｍｍのものとして示してある。
【００１６】
そして上記までの工程で、クロス６を貼る時に、そのクロス６の端部６ａを下地枠３ａ、３ｂの嵌合溝７の底９に丁度合わせて貼っておく。勿論これは一例でクロスの端部６ａを嵌合溝７の側壁上又は側壁に至る手前の角部のところに合わせてもよいし、仕上の容易な方法を任意に採用することができる。
【００１７】
次いで予め用意しておいた縦枠としての建具枠１０ａ、１０ｂの各々を上記下地枠３ａ、３ｂの嵌合溝７に嵌合する。嵌合した状態は図３、図４に各々示されている。
即ち建具枠１０ａ、１０ｂ全体の各々の幅Ｐは上記嵌合溝７の幅Ｔに過不足なく嵌合できる程度に設定されていると共に、全体の奥行Ｑは嵌合溝の奥行Ｓより大に設定されている。例えば、上記の下地枠３ａ、３ｂ及びその嵌合溝７の寸法例に対応させると上記Ｐは約７７ｍｍ弱、上記Ｑは３３ｍｍである。
【００１８】
そして、この建具枠１０ａ、１０ｂ各々には、建具枠１０ａ、１０ｂ各々に形成された通し穴２３を通して、縦方向に沿って所定の間隔を置いて複数個例えば、４個の取り付け部材１１を備えている。この取り付け部材１１は種々の形状、構成のものを用いることができるが、この実施例に示すものは次の通りである。
即ち、幅木、クロス施工後に下地枠３ａ、３ｂの嵌合溝７に左右の建具枠１０ａ、１０ｂを取り付けるものであり、この左右の建具枠１０ａ、１０ｂへの取り付けは、取り付け部材１１によって行なわれるものである。
そして、上記取り付け部材１１は、取り付け部材１１が取り付けられている上記左右の建具枠１０ａ、１０ｂの各々の下地枠３ａ、３ｂ側の側面とは反対側になる側面から通し穴２３を介して下地枠３ａ、３ｂへの取り付け及び下地枠３ａ、３ｂとの間の隙間を調整することができるように構成され、図４、図８に示したように、外周面にネジ部１２が形成された筒状部分を有する下地枠３ａ、３ｂに取り付けられる固定部１３と、固定部１３のネジ部１２に螺合するネジ部が内面に形成されたフランジ１４を有する円筒状の回転部１５と、上記回転部１５に外嵌しフランジ１４を介して回転部１５を上記左右の建具枠１０ａ、１０ｂの下地枠３ａ、３ｂ側の側面に回転可能に取り付ける取付リング１６より成るものであり、しかも、上記固定部１３の筒状部分には、ロックプレート１７が配設され、このロックプレート１７によって、ネジ部１２及び切欠１８が形成された筒状部分を押し広げることができるように成されている。
さらに、上記取り付け部材１１は、取り付け部材１１を成す固定部１３と回転部１５が螺合した状態で取付リング１６にて左右の建具枠１０ａ、１０ｂにあらかじめ取り付けられており、回転部１５を回転させるための六角レンチの嵌合穴１９からビス２０を挿入し、このビス２０によって固定部１３を下地枠３ａ、３ｂに固定することで取り付け部材１１の固定が行なわれ、これにより、左右の建具枠１０ａ、１０ｂが、下地枠３ａ、３ｂの嵌合溝７に取り付けられることとなる。
【００１９】
従って、幅木５の取付、クロス６の貼り付け後に、即ち完全にクロスを貼り付けした後に、建具枠１０ａ、１０ｂの各々を、その取り付け部材１１を用いて下地枠３ａ、３ｂ各々に取り付けることができる。
即ち、一方の建具枠１０ａに着目して述べると、嵌合溝７に対して建具枠１０ａを嵌合させる。そして、通し穴２３を介して嵌合穴１９を利用してビス２０により固定部１３を下地枠３ａに取り付ける。
次いで、上記建具枠１０ａの鉛直度（建具枠の上下方向の垂直状態）及び真直度（建具枠の下地枠に対する直角度合等）隙間調整等の必要な種々の調節をするものであり、この調整は、上述した取り付け部材１１の回転部１５を、下地枠３ａに取り付け固定された固定部１３に対して回転させることによって行なうものであり、上記回転部１５の回転は、回転部１５に設けられた嵌合穴１９に六角レンチを嵌合させ、これを回転させることによって行なわれ、しかも、上記回転部１５は、上記固定部１３のネジ部１２に螺合しているものであるので、微妙な調整も容易に行なうことができ、建具枠１０ａの鉛直度及び真直度等の調整を正確に行うことができる。
他方の下地枠１０ｂに対する建具枠１０ｂの鉛直度及び真直度等必要な種々の調節及び取り付けも同じである。
【００２０】
この後、上記左右の建具枠１０ａ、１０ｂによって構成されたドア枠内にドア２１の吊込みを行い、さらに、ドア枠とドア２１との間のチリ（隙間）の確認を行い、その調整を行う。
さらに、上記ドア枠とドア２１との間のチリの調整を終えた後、上記取り付け部材１１の固定部１３内に配設されたロックプレート１７を回転させ、固定部１３の切欠１８が形成されたネジ部１２を押し広げ、回転部１５が固定部１３に対して回転しないように固定することによって、ドア枠の施工及びドア２１の吊込みが完了するものである。
【００２１】
以上までは本発明の前提となる部分を説明したものである。
本発明はこのような建具枠の完全後付け工法及びそれを実施する為の縦枠としての建具枠に於いて、次のような改良を加えたものである。
即ち、上記嵌合溝７に嵌合セットされる建具枠１０ａ、１０ｂ各々を少なくとも２つ以上で互いに結合される部材に分ける。その内１つは上記した取り付け部材１１を有し且つ通し穴２３を有する建具枠本体２２であり、もう１つ以上の内、少なくとも１つは、建具枠本体２２の通し穴２３を覆う建具枠カバー２４である。
【００２２】
図４、図５、図６、図７の一具体例について説明すると、建具枠本体２２には取り付け部材１１が設けられている。従って六角レンチを通す為の通し穴２３が形成されている。そしてこの建具枠本体２２は、その一側面２２ａを嵌合溝７の一側７ａに片寄せされている。
他方、もう１つの建具枠カバー２４はＬ字状を呈し、差込部２４ａと被覆部２４ｂより成り、差込部２４ａは、嵌合溝７の他側７ｂと建具枠本体２２の他側面２２ｂの間を通って過不足ない状態で嵌合溝７に嵌合せしめられていると共に差込部２４ａと一体の被覆部２４ｂは建具枠本体２２の通し穴２３（即ち取り付け部材１１の嵌合孔１９に六角レンチを通す為の穴）を被覆するようにして建具枠本体２２の表面２２ｃ上に着脱自在に結合されている。
上記の着脱自在な結合は、図６に示すように建具枠本体２２の表面２２ｃに一方の面ファスナー２６ａを取り付け、他方建具枠カバー２４の被覆部２４ｂの裏面に他方の面ファスナー２６ｂを取り付け、互いに面ファスナーで結合する方法が考えられる。この場合面ファスナーは建具枠１０ａ又は１０ｂの上下方向（高さ方向）に沿って全面に取り付けられるものではなく、上下方向に沿って間隔を置いて複数個取り付けられている。その他接着剤を用いて建具枠本体２２に建具枠カバー２４の被覆部２４ｂを結合してもよい。接着剤結合の場合には、固定的結合になることが多いが、修理等を行なう場合、建具枠カバー２４を建具枠本体２２から剥離するようにすれば着脱することもできる。
尚、通し孔２３を有する建具枠本体２２と上記の通し穴２３を覆う建具枠カバー２４の各々を単一部材とすることなく複数の部材を結合したものでもよい。例えば図１０の（Ａ）（Ｂ）に示すように、建具枠本体２２をイ、ロの別部材から成るものでもよいし、建具枠カバー２４をハ、ニの別部材から成るものでもよい。イとロ、ハとニは当然ながら結合される。又図１０の（Ｃ）や（Ｄ）のように建具枠本体２２を部材ヘとホ、又は部材ト、チの結合から成るようにしてもよい。何れにしても通し穴２３を建具枠カバー２４が覆うものである。
【００２３】
更に図９（Ａ）の他例に示すように、建具枠本体２２に装着溝２７を形成すると共に他方建具枠カバー２４に装着脚２８を形成し、建具枠本体２２に対し、建具枠カバー２４を、差込部２４ａの嵌合溝７に対する嵌合と装着脚２８の装着溝２７に対する嵌合の双方によって着脱自在に結合するようにしてもよい。更に図９（Ｂ）のもう一つの他例に示すように建具枠カバー２４に脚２８ｂを有する断面コ字状の止め２８ａを取付け、その脚２８ｂを建具枠本体２２の装着脚２８ａに嵌合して取付けてもよい。
【００２４】
上記の特徴を加えて、改めて幅木５及びクロス６を貼り終わった後に、ドアの建具枠を完全に後付け施工し、而も取り付け部材１１を六角レンチ等で調整する為の通し穴２３が完全に被覆されることについてその工程を説明する。
この場合図３〜図８の例にて説明する。先ず図６に示すように縦枠としての建具枠本体２２を嵌合溝７に取り付ける。即ち、建具枠本体２２の一側２２ａを嵌合溝７の一側７ａに当接させた態様で、他側２２ｂと他側７ｂとの間に隙間が生ずるように取り付ける。この時は、図７に示すように通し穴２３は外から観える。そして、通し穴２３を通して、取り付け部材１１の嵌合穴１９からビス２０を通し、ビス２０を下地枠３ａに固定する。
すると、取り付け部材１１が下地枠３ａに取り付けられ、他方取り付け部材１１が予め建具枠本体２２に取付いているので、建具枠本体２２が下地枠３ａに装着される。
【００２５】
この状態で左右の建具枠１０ａ、１０ｂ即ち建具材本体２２の鉛直度及び真直度等必要な種々の調整する。つまり上記通し穴２３を通して取り付け部材１１の嵌合穴１９から六角レンチを入れて前述したように操作して調節する。
この後ドア２１を吊込む。尚建具枠カバー２４上の符号２５は緩衝材を示し、ドア２１の当接時のショックを吸収するものである。そして、この後に建具枠カバー２４を図６の矢示Ｗに示すようにセットする。つまり差込部２４ａを他側２２ｂと７ｂの間の隙間に差込し、次いで建具枠本体２２の表面２２ｃ上の面ファスナー２６ａと、建具枠カバー２４の面ファスナー２６ｂを係合させて結合する。これによって建具枠１０ａが図３、図４に示すように下地枠３ａに装着される。図４、図５に示すように建具枠本体２２の通し穴２３が建具枠カバー２４の被覆部２４ｂによって覆われることになる。
【００２６】
上記に於いては開き戸の例で示したが、引き戸、折戸等に於ける縦枠としての建具枠にも同様に適用できるものである。
【図面の簡単な説明】
【００２７】
【図１】本発明の建具枠の完全後付け工法の工程の途中である幅木、クロス貼りを終えたところを示す正面図。
【図２】図１の２−２線に沿う断面図。
【図３】本発明の建具枠の完全後付け工法の工程の最終段階である縦枠を取り付けたところを示す正面図。
【図４】図３の４−４線に沿って、縦枠を下地枠に対して嵌合して取り付けた状態を示す断面図。
【図５】縦枠のみの正面図。
【図６】下地枠に取り付けた建具枠を建具枠本体と建具枠カバーに分解して示した断面図。
【図７】建具枠カバーを外した建具枠本体の正面図。
【図８】建具枠を下地枠に取り付ける為の取り付け部材の一例を示す分解斜視図。
【図９】（Ａ）（Ｂ）各々は、本発明の建具枠の完全後付け工法を実施する為の下地枠の他の例を示す断面図。
【図１０】（Ａ）（Ｂ）（Ｃ）（Ｄ）各々は本発明の建具枠の建具枠本体と建具枠カバーの組合わせ例を示す簡略図。
【符号の説明】
【００２８】
１      壁
２      壁下地
３ａ、３ｂ    建具下地枠
４      ブラスターボード
５      幅木
６      クロス
６ａ    クロスの端部
Ａ      開口部
７      嵌合溝
７ａ    一側
７ｂ    他側
８      下地枠の表面
９      嵌合溝の底
１０ａ、１０ｂ    縦枠としての建具枠
１１    取り付け部材
１２    ネジ部
１３    固定部
１４    フランジ
１５    回転部
１６    取付リング
１７    ロックプレート
１８    切欠部
１９    嵌合穴
２０    ビス
２１    ドア
２２    建具枠本体
２２ａ  一側
２２ｂ  他側
２２ｃ  表面
２３    通し穴
２４    建具枠カバー
２４ａ  差込部
２４ｂ  被覆部
２５    緩衝材
２６ａ、２６ｂ    面ファスナー
【図１】
2009024336.tif 000003
【図２】
2009024336.tif 000004
【図３】
2009024336.tif 000005
【図４】
2009024336.tif 000006
【図５】
2009024336.tif 000007
【図６】
2009024336.tif 000008
【図７】
2009024336.tif 000009
【図８】
2009024336.tif 000010
【図９】
2009024336.tif 000011
【図１０】
2009024336.tif 000012